(57)【要約】【課題】極めて簡単な手順、なおかつ容易な操作性で各種行政情報システム、及びインターネット各サイトにアクセスできるシステムを提供する。【解決手段】各種情報記憶媒体によって配布され、自動的に導入できるポータルソフトウェアを各個人ユーザーの端末に導入し、端末の電源を入れると自動的にポータルソフトウェアが起動するように設定する。なお、ポータルソフトウェアは視認性に優れ、操作が簡単なユーザーインターフェースとする。また、ポータルソフトウェアが不必要な場合のキャンセル操作も一手順で済むものとし、ユーザーの端末の使い勝手に極力影響を与えない物とする。【選択図】　　　図２
2004127043.tif 000002
【特許請求の範囲】
【請求項１】
各種情報記憶媒体によって配布され、自動的に導入できるポータルソフトウェアを各個人ユーザーの端末に導入する際、その端末ごとの使用ＯＳの判別・ソフトウェアの設定・起動を自動的に行い、端末の電源を入れると自動的にポータルソフトウェアが起動するように設定する。そのソフトウェアによって、容易にインターネット上の各種情報にアクセスできるようにするインターネット用ポータル画面表示システム。
【請求項２】
端末に導入することによって、端末のＯＳが起動すると共に自動起動されるポータルソフトウェアにしたがって、あらかじめポータルソフトウェアに設定してある各種行政情報システム、及びインターネット各サイトにアクセスすることを特徴とする請求項１に記載のインターネット用ポータル画面表示システム。
【請求項３】
前記ポータルソフトウェアが、端末に導入すると次回より端末のＯＳが起動すると共に自動起動し、端末の表示装置の画面全体に表示されるＧＵＩを使用して各種情報・サイトにアクセスすることを特徴とする請求項１に記載のインターネット用ポータル画面表示システム。
【請求項４】
各個人ユーザーの端末に導入する際、各個人ユーザーの端末の使用ＯＳを自動的に判別・設定・起動をし、インターネット上の各種情報にアクセスできるプログラムを格納した記憶媒体。
【発明の詳細な説明】
【０００１】
【発明の属するの技術分野】本発明は、ポータルソフトウェアを介したインターネット接続用のポータルソフトウェアである。
【０００２】
【従来の技術】各個人ユーザーの端末からインターネット上の各種情報にアクセスするためには、いわゆるポータルサイトと称されるサイトを介するのが一般的である。この方法によれば、各個人ユーザーの端末において、当該ポータルサイトのアドレスを何らかの方法で知り、またそのアドレスを入力する等の方法が一般的である。また、リンク先の情報の表示に関しては、主に文字による細かな表記が一般的である。
【０００３】その一方、初心者・高齢者向けの容易なインターフェースを持つポータルサイトも存在するが、前記の一般的ポータルサイトと同様、ポータルサイトのアドレスを知る方法・アクセスする方法が一般的である
【０００４】
【発明が解決しようとする課題】このように、ポータルサイトに関して、真に初心者向きといえるアクセスの容易性を持った物が少ないものと考えられる。
【０００５】本発明は、初心者・高齢者等にとっても容易な手順で各種インターネット上の情報・サイトにアクセスする方法を提供するポータルソフトウェアを提供することを目的とする。また、各種行政機関が地域住民に行政情報を配付するための手段を提供することを目的とする。
【０００６】
【課題を解決するための手段】本発明の目的は、端末に導入することによって、端末を起動すると自動的に起動されるポータルソフトウェアを用いて、あらかじめポータルソフトウェアに設定された各種情報・各サイトへのアクセスを行うことにより達成される。
【０００７】各種情報・各サイトへのアクセスはポータルソフトウェアのメニュー上にあるバナーをクリックすることにより、直接行うことができる。従って、アクセスを行う際にサイトのアドレス等の専門的知識が不要となる。
【０００８】本発明においては、ポータルソフトウェアが起動した時点においてはインターネットに接続せず、端末の記憶装置上に記録されたソフトウェアによってすべての画面表示やシステム動作行うことにより、常時接続でないダイヤルアップ環境にあるユーザーへの接続料等の負担を低減することとする。また、当該ポータルソフトウェアを使用しない場合においては、一手順でキャンセルできるようにし、端末の使い勝手に極力影響を与えないものとする。
【０００９】なお、当該ソフトウェアの画面表示・操作性については単純明快なものとし、初心者等の端末操作に習熟していないユーザーの利用を促進するものとする。また、ダイヤルアップ・ＩＳＮ・光ファイバー・ＣＡＴＶ等ユーザーの接続環境に依存しないソフトウェアシステムとする。
【００１０】本発明の好ましい実施態様においては、各種情報記憶媒体にあらかじめ記憶されたポータルソフトウェアを、各個人ユーザーの端末に挿入すると自動的に導入・設定が行われるものとする。また、端末を起動すると自動的にポータルソフトウェアが起動し、端末の表示装置の画面全体に表示されるものとする。これにより、ユーザーに専門的知識・操作手順を要求することなく各種情報・サイトへのアクセスを行うことが可能となる。
【００１１】本発明の好ましい実施態様においては、ユーザーがシステムの内容・利便性をより直感的に理解できるよう、当該ソフトウェアシステムの使い方、またメニュー一覧を簡潔に表記した、紙やプラスチック等に印刷したメニュー表を添付することとする。
【００１２】本発明のさらに好ましい実施態様においては、端末に導入されたソフトウェアをインターネット上を介して最新情報を自動的にダウンロードし、内容を更新できるようにしても良い。
【００１３】
【発明の実施の形態】以下、添付図面を参照して本発明の実施の形態につき説明を加える。図１は、本発明ソフトウェアの画面表示の一例を表したものである。図２は、本発明の実施に関わるソフトウェアシステム導入の概略を示すブロックダイヤグラムである。図３に示すように、このソフトウェアシステムにおいては、パーソナルコンピューターの端末に、各種情報記憶媒体によってポータルソフトウェアを導入して、端末の起動と共にポータルソフトウェアを起動して各種情報・サイトへのアクセスを初心者・高齢者等にとって容易にするものである。
【００１４】まず、このソフトウェアシステムの導入のために必要な手順についての説明を行う。まず、ポータルソフトウェアの各リンク先等の仕様を各顧客に合わせた形態にし、各種情報記憶媒体に記録する。そしてポータルソフトウェアが記録された各種情報記憶媒体を各ユーザーの元に配布し、端末への導入を行う。端末への導入に関しては、端末であるパーソナルコンピューターのＯＳが起動した状態において、ソフトウェア供給媒体を挿入すると自動的に端末の使用ＯＳを判別し、それに従って導入・設定作業が行われるので非常に容易である。
【００１５】次に、ソフトウェアシステムの実行と使用のための手順の説明を行う。ソフトウェアの導入が終了し、次回端末の起動を行い、端末のＯＳの起動が終了すると自動的にポータルソフトウェアが起動し、端末の表示装置の画面全体に表示される。また、リンク先においても画面上にあるボタンをクリックすることによって、容易にポータルソフトウェアのメニュー画面に戻ることができる。
【００１６】ユーザーは、ポータルソフトウェアのメニュー上にある自分の知りたい情報や見たいサイトのバナーをクリックすることによって直接行うことができる。従って、アクセスを行う際にサイトのアドレス等の専門的知識が不要であり、簡単な手順で目的を達することができる。この際、当該ソフトウェアシステムの使い方、またメニュー一覧を簡潔に表記した、紙やプラスチック等に印刷したメニュー表がユーザーの操作の補助的役割を果たすこととなる。
【００１７】この際のソフトウェアシステムの内部的動作としては、バナーがクリックされた時点で、そのバナーと関連づけられた各種情報・サイトにインターネット上での接続を行い、その結果得られた情報を、端末の表示装置の画面に表示する。
【００１８】当該ソフトウェアを終了させるには、画面上にある終了ボタンを押すとＯＳ画面に復帰するようになっている。なお、これらソフトウェアが起動した場合の一連の動作は、図３に示すとおりである。
【００１９】当該ソフトウェアは配布の前にカスタマイズが可能なものであり、顧客が要求する仕様に改変できるものである。従って、単なる初心者用ポータルソフトウェアとしてだけでなく、行政機関等のインターネット上における情報提供サービスの核として利用できる可能性も考えられる。
【本発明の効果】本発明によれば、ユーザーに専門的知識の習得等の負担を強いることなく各種情報サービスやインターネットサイトへのアクセスが実現できるシステムを提供することが可能である。また、本発明によれば行政機関等が住民サービスの一環としての情報提供の核とする事も可能である。
【図面の簡単な説明】
【図１】図１は、本発明ソフトウェアの画面表示の一例を表したものである。
【図２】図２は、本発明の実施に関わるソフトウェアシステム導入の概略を示すものである。
【図３】図３は、本発明の実施に関わるソフトウェアシステムの動作の流れを示す
ものである。
【図１】
2004127043.tif 000003
【図２】
2004127043.tif 000004
【図３】
2004127043.tif 000005